(57)【要約】  【課題】    壁に取り付けた手形やキャラクター等の面白い形のタッチパネルにジャンプして触ろうとする人間の習性を利用して、自然に跳躍力が養成される体育用遊具を提供する。  【解決手段】    手形あるいはキャラクター等の形状をした平板パネルがあり、これに一定の幅と厚みを持ち、樹脂製で適度な弾力性を有する１枚または２枚の板から成るパネル支持具がパネル裏および壁に取り付けた矩形の基盤上に一体成形または溶接または接着またはねじ等の手段により取り付けられており、その基盤は取り付けねじにより壁の適当な高さの位置に固定されていることを特徴とする跳躍力養成遊具。【選択図】     図３
2006006469.tif 000002
【特許請求の範囲】
【請求項１】
イ  手形あるいはキャラクター等の形状をした樹脂製等の平板パネルがあり、これに一定の幅と厚みを持ち、樹脂製で適度な弾力性を有する１枚または２枚の板から成るパネル支持具が平板パネルの裏に一体成型または溶接または接着またはねじ等の手段で取り付けられている。
ロ  樹脂製または金属製等の矩形の平板の基盤があり、この基盤の中央にイのパネル支持具が一体成形または溶接または接着またはボルト等の手段で固定されている。
ハ  この基盤は四隅に通し穴が設けられ、固定ねじにより、壁の適当な高さの位置に固定される。
以上の構成によりなることを特徴とする跳躍力養成遊具。  
【請求項２】
イ  樹脂製または金属製で、断面が矩形のチューブ管から作られ、１つの面の中央がレール方向に一定幅で開けたガイド部を有するレールがあり、このレールの内側を上下に摺動できる樹脂製または金属製等の摺動板がはめこまれ、摺動板の表側中央には請求項１のイのパネル支持具が一体成形または溶接または接着またはねじ等の手段で固定されている。
ロ  イのレールのガイド部両側にはストッパー用のねじ通し穴が等間隔に複数個開けられており、摺動板はねじによりレールに固定され、さらにこのレールは取り付け具により、壁の適当な高さの位置に固定されている。
以上の構成によりなることを特徴とする跳躍力養成遊具。  
【発明の詳細な説明】
【技術分野】
【０００１】
本発明は、跳躍力を養成することを目的とした体育用遊具に関するものである。
【背景技術】
【０００２】
従来より、跳躍力を養成する測定器や遊具はいくつかあったが、それらはパネル上に目盛りを記しただけのものやタッチ棒に触れる遊具であった。
【０００３】
【特許文献１】公開２００２−１４３３３９
【非特許文献１】（株）藤栄発行カタログ（２０００年１２月２５日発行）ｐ３６，製品番号Ｔ−１３４サージャントメータ−
【発明の開示】
【発明が解決しようとする課題】
【０００４】
しかしながら、ジャンプの高さを競うことだけを目的としているために、利用者にはすぐに飽きられてしまう傾向が見られ、体育館やスポーツジムにはほとんど使われずほこりをかぶっていることが多い。そこで、跳躍力を効果的に伸ばすために，ジャンプの高さを競うことを目的とせず、ジャンプを楽しんでやれるような遊具の開発が必要であった。本発明はこれらの要望に応えるために発明されたものである。
【課題を解決するための手段】
【０００５】
上記の課題を解決するための第１の手段は、請求項１で示したように、
イ  手形あるいはキャラクター等の形状をした樹脂製等の平板パネルがあり、これに一定の幅と厚みを持ち、樹脂製で適度な弾力性を有する１枚または２枚の板から成るパネル支持具が平板パネルの裏に一体成型または溶接または接着またはねじ等の手段で取り付けられている。
ロ  樹脂製または金属製等の矩形の平板の基盤があり、この基盤の中央にイのパネル支持具が一体成形または溶接または接着またはボルト等の手段で固定されている。
ハ  この基盤は四隅に通し穴が設けられ、固定ねじにより、壁の適当な高さの位置に固定される。
以上の構成によりなることを特徴とする跳躍力養成遊具である。  
【０００６】
上記の課題を解決するための第２の手段は、請求項２で示したように、
イ  樹脂製または金属製で、断面が矩形のチューブ管から作られ、１つの面の中央がレール方向に一定幅で開けたガイド部を有するレールがあり、このレールの内側を上下に摺動できる樹脂製または金属製等の摺動板がはめこまれ、摺動板の表側中央には請求項１のイのパネル支持具が一体成形または溶接または接着またはねじ等の手段で固定されている。
ロ  イのレールのガイド部両側にはストッパー用のねじ通し穴が等間隔に複数個開けられており、摺動板はねじによりレールに固定され、さらにこのレールは取り付け具により、壁の適当な高さの位置に固定されている。
以上の構成によりなることを特徴とする跳躍力養成遊具である。  
【発明の効果】
【０００７】
本発明の跳躍力養成遊具を使用すると、次のような効果が期待できる。
本発明の跳躍力養成遊具を体育館やトレーニングジム等の壁面に設置しておくと、利用者は壁に取り付けた手形やキャラクター等のタッチパネルを見て、その面白い形に関心を持ち、次々とジャンプをするようになる。これを繰り返すうちに自然に跳躍力が養成されてくる。
従来のジャンプ力養成遊具に比べ安価に制作できる。
複数固定すれば、体格や身体能力に応じて挑戦できる。
【発明を実施するための最良の形態】
【０００８】
以下に、本発明を実施するための最良の形態を図１〜１２を使って説明する。
まず、請求項１の跳躍力養成遊具について説明すれば、図１、２、３に示すように、
手形あるいはキャラクター等の形状をした樹脂製等の平板パネル３があり、これに一定の幅と厚みを持ち、樹脂製で適度な弾力性を有する１枚または２枚の板から成るパネル支持具２が平板パネル３の裏に一体成型または溶接または接着またはねじ等の手段で取り付けられている。
さらに、樹脂製または金属製等の矩形の平板の基盤１があり、この基盤１の中央にイのパネル支持具４が一体成形または溶接または接着またはねじ等の手段で固定されている。
この基盤１は四隅に通し穴７が設けられ、取り付けねじ６により、壁の適当な高さの位置に固定される。
以上の構成によりなることを特徴とする跳躍力養成遊具である。  
【０００９】
次に、請求項２の跳躍力養成遊具について説明すれば、図５、６に示すように
手形あるいはキャラクター等の形状をした樹脂製等の平板パネル３があり、これに一定の幅と厚みを持ち、樹脂製で適度な弾力性を有する１枚または２枚の板から成るパネル支持具２が平板パネル３の裏に一体成形または溶接または接着等の手段で取り付けられている。
一方、樹脂製または金属製で、断面が矩形のチューブ管から作られ、１つの面の中央がレール方向に一定幅で開けられているガイド部１６を有するレール８があり、このレール８の内側を上下に摺動できる樹脂製等の摺動板９がはめこまれ、摺動板９の表面の中央にはパネル支持具２を固定するためのガイド部１０と取り付けねじ穴１１が開けられており、ねじ１３とナット１４により摺動板９とパネル支持具２が連結されている。
さらに、レール８のガイド部１６の両側にはストッパー用のねじ通し穴１５が等間隔に複数個開けられており、摺動板９はストッパー用ねじ１７によりレール８に固定され、さらにこのレール８は取り付け具１８により、壁の適当な高さの位置に固定されている。
以上の構成によりなることを特徴とする跳躍力養成遊具である。  
【００１０】
本発明は以上のような構造で、これらを使用するときは、請求項１の跳躍力養成遊具
について説明すれば、図４のように体育館やスポーツジム等の壁２２に取り付けるだけで利用者は、この跳躍力養成遊具２１の前に立つと、壁２２から突き出たタッチパネル３の面白い形が気になり、自然にジャンプしてパネルに触ろうとするであろう。
なお、図１や図５に示すようにタッチパネルの表に高さを表す数値、例えば「２５０ｃｍ」「２４０ｃｍ」等を記載することで、さらに挑戦意欲も増すであろう。こうしてジャンプを楽しみながら繰り返すうちに自然にジャンプ力が養成されてくるのである。
【００１１】
請求項２の跳躍力養成遊具について使用すれば、体育館やスポーツジム等の壁に垂直に取り付けておけば、請求項１の場合と同様に使用することができる。請求項２の跳躍力養成遊具は平板パネル３の高さを自由に調節できるので、１台で複数台の請求項１の跳躍力養成遊具の役割を果たすことができる。
【実施例１】
【００１２】
図７は、本発明の請求項１における他の実施例１の部品構成を表す斜視図で、一定の幅と厚みを持つ一枚のみの板からなる樹脂製のパネル支持具２３を使用した例である。支持具２３は矩形の基盤１とタッチパネル３にそれぞれ一体成型または溶接または接着またはねじ等の手段により固定されている。また、支持具２３の板の中央部には緩衝効果をねらった湾曲部２４が設けられ、支持具２３の素材の樹脂の持つ弾力性と合わせて衝撃力を吸収できるように工夫されている。
図８はパネル裏から見た斜視図を表す。図９は、事例１の外観を表す斜視図である。
【実施例２】
【００１３】
図１０は、本発明の請求項１における他の実施例２の部品構成を表す斜視図で、支持具２の基盤側の接触面５に取り付け穴２８を設け、基盤１にも表面にガイド凸部２５を設け、ここに支持具２を固定し、押さえ板２９とねじ２７、ボルト３０とともに基盤１と支持具２を連結している。支持具２は痛みやすいので交換する場合には便利な構造である。
図１１は実施例２のパネル３の裏から見た図である。図１２は実施例２の外観を表す斜視図である。
【図面の簡単な説明】
【００１４】
【図１】本発明の請求項１の跳躍力養成遊具の部品構成を表す斜視図。
【図２】本発明の請求項１の跳躍力養成遊具のタッチパネルとパネル支持具を表す斜視図。
【図３】本発明の請求項１の跳躍力養成遊具の外観を表す斜視図。
【図４】本発明の請求項１の跳躍力養成遊具を使用する様子を表す斜視図。
【図５】本発明の請求項２の跳躍力養成遊具の部品構成を表す斜視図。
【図６】本発明の請求項２の跳躍力養成遊具の外観を表す斜視図。
【図７】本発明の請求項１の実施例１の部品構成を表す斜視図。
【図８】本発明の請求項１の実施例１のパネル裏から見た図
【図９】本発明の請求項１の実施例１の外観を表す斜図。
【図１０】本発明の請求項１の実施例２の部品構成を表す斜視図
【図１１】本発明の請求項１の実施例２のパネル裏から見た斜視図。
【図１２】本発明の請求項１の実施例２外観を表す斜視図。
【符号の説明】
【００１５】
１  基盤
２   ２枚から成るパネル支持具
３  タッチパネル
４  パネル支持具のパネル側の接触面
５  パネル支持具の基盤側の接触面
６  取り付け用ねじ
７  ねじ通し穴
８  レール
９  摺動具
１０ 取り付けガイド部
１１ パネル支持具取り付けねじ穴
１２ パネル支持具取り付けねじ通し穴
１３  連結用ねじ
１４  連結用ナット
１５  摺動具固定用ねじ穴
１６  摺動ガイド
１７  摺動具固定用ねじ
１８  壁取り付け具
１９  取り付けねじ通し穴
２０  取り付けねじ
２１  本発明の跳躍力養成遊具
２２  壁
２３  １枚板から成るパネル支持具
２４  緩衝部
２５  ガイド部
２６  取り付け用穴
２７  ねじ
２８  取り付け用穴
２９  押さえ板
３０  固定用ナット
【図１】
2006006469.tif 000003
【図２】
2006006469.tif 000004
【図３】
2006006469.tif 000005
【図４】
2006006469.tif 000006
【図５】
2006006469.tif 000007
【図６】
2006006469.tif 000008
【図７】
2006006469.tif 000009
【図８】
2006006469.tif 000010
【図９】
2006006469.tif 000011
【図１０】
2006006469.tif 000012
【図１１】
2006006469.tif 000013
【図１２】
2006006469.tif 000014